【事件の表示】
　平成１０年特許願第６２７２４号「再生システム、再生端末装置及び再生方法」拒絶査定不服審判事件〔平成１１年９月２４日出願公開、特開平１１−２６００４５〕について、次のとおり審決する。
【結　論】
　本件審判の請求は、成り立たない。
【理　由】
１．手続の経緯・本願発明
　本件審判の請求に係る特許出願（以下、「本願」という。）は、平成１０年３月１３日の出願であって、平成１７年９月２７日、平成１８年１月１０日、同年５月１６日付けの各拒絶理由通知に対して、平成１７年１２月２日、平成１８年３月１６日、同年７月２４日付けで手続補正がされたが、平成１８年８月２８日付けで前記平成１８年７月２４日付けの手続補正が却下されるとともに拒絶査定がされ、これに対し、平成１８年１０月５日付けで拒絶査定不服審判が請求されるとともに、同年１１月６日付けで手続補正がされた。そして、前置報告書の内容に基づく平成２０年８月１２日付けの審尋に対し、同年１０月２０日付けで回答書が提出され、さらに、当審からの平成２０年１２月２６日付けの拒絶理由通知に対して、平成２１年３月５日付けで手続補正がされたものである。
　そして、本願の請求項６に係る発明（以下、「本願発明」という。）は、平成２１年３月５日付け手続補正書の特許請求の範囲の請求項６に記載された事項により特定される次のとおりのものと認める。（なお、請求項６における「記録媒体又は格納手段に収録されたに収録された主データ」は、「記録媒体又は格納手段に収録された主データ」の誤記と認める。）
　
「【請求項６】　記録媒体又は格納手段に収録された主データと、主データに関連づけられた関連情報を再生するための再生端末装置であって、
　主データに対応する識別情報を、第１の情報サーバとしてのデータベースサーバに送信する送信手段と、
　上記識別情報に基づく上記データベースサーバでの検索結果に含まれる第１の関連情報、及びＵＲＬアドレスを受信すると共に、当該ＵＲＬアドレスによって指定された第２の情報サーバから第２の関連情報を受信する受信手段と、
　上記第１の関連情報、及び上記第２の関連情報を表示部に表示させる表示処理手段と、
　上記受信手段で受信したＵＲＬアドレスを記憶する記憶手段と
　を備え、
　上記記録媒体または格納手段に収録された主データを再生する際に、上記表示処理手段は、上記ＵＲＬアドレスによって示される第２の情報サーバから、受信手段によって受信された上記オーディオデータに関連する第２の関連情報を格納し、表示部に表示させる表示処理をし、上記受信手段により受信されたＵＲＬアドレスが、既にアクセスされており対応する上記第２の関連情報が格納されているとき、当該受信されたＵＲＬアドレスへのアクセスは不要と判断し、当該格納されている第２の関連情報を表示部に表示させる表示処理をする
　再生端末装置。」
　
２．先願発明
　当審からの拒絶理由通知において引用された、本願の出願日前の特許出願であって本願の出願後に出願公開がされた特願平９−３４１２８号（特開平１０−２３３０８１号）の願書に最初に添付された明細書又は図面（以下、「先願明細書等」という。）には、コンピュータに関して図面とともに以下の技術事項が記載されている。（下線は当審で付した。）
　
　（ａ）「【０００１】
【産業上の利用分野】本発明は、コンピュータに関し、特に、
再生媒体に関する関連情報を再生媒体の再生にあわせて表示などで告知する機能を有するコンピュータに関する。
　（ｂ）「【００１１】次に、まず、
再生プログラムの自動起動機能
かかる機能は、主として制御部２の自動起動プログラムで実施され
　（ｃ）「【００１８】
ＣＤオーディオの再生プログラムでは、予め指定された曲（例えば１曲目）が再生される。
　（ｄ）「【００３３】次に、
関連情報の自動呼び出し機能
制御部２の関連情報の自動呼び出しプログラムで実施され
かかるプログラムは図２で示すＣＤの自動起動プログラムと並列的に起動することも可能である
【００３４】まず、ステップ５１にてディスクのセットがなされたか否かが検知される。より詳細には、ディスク８が読取り部７のＣＤ用のトレイに装填されると読取り部７からＣＤのセットを示す検出信号を検出することができるのでかかる検出信号を定期的に確認することでディスクのセットがなされたか否かが検知される。
【００３５】ディスクのセットがなされていない場合は今回の処理を終了する。他方、
ディスクのセットが検出された場合はステップ５２にてセットされたディスクの識別情報を取得する
【００３６】
ここでは、ＴＯＣ部の情報、ＣＤオーディオといったディスク内容を示す情報を識別情報とした場合について説明する。少なくともＴＯＣ部分の情報はＣＤの識別には必要であり、分、秒、フレーム番号のデータを本実施例では使用している。
　（ｅ）「【００４０】かかるデータベースも使用者の入力により作成することができるし、他の再生媒体（例えばデータベースを記憶したディスク）から得ることもできる。また、セットされた再生媒体自体がアドレス情報をさらに記憶することも可能である。この場合はキーワード並びにアドレスの検索処理は不要となる。さらに、
識別情報からアドレスを検索する検索部１７を有する他のサーバ１５にアクセスし、得られたアドレスをキーワードに対応させて順次保持していくことで図７のようなデータベースを構築してもよい
【００４１】対応するアドレスが取得されると（ステップ５６：ＹＥＳ）該当するアドレスの関連情報を取得しこれを表示する（ステップ６１）。ホームページのような関連情報は通信路１２を介して検索されたアドレスのサーバ１４にアクセスすることで取得できる。また、ネットワークを用いず、関連情報を記憶している再生媒体（例えば関連情報を記憶したＣＤ−ＲＯＭ）から対応するアドレスの関連情報を取得することも可能である。
【００４２】また、
関連情報としては、例えば音楽ＣＤの場合は、そのＣＤのタイトル、曲名の一覧、ジャケットに使用されている画像、歌詞、歌手のホームページ、といった情報や、歌手名、作詞家名、作曲家名、演奏者名、といったそのＣＤの作成に関係した人の情報などが適切である
　（ｆ）「【００５０】なお、本実施例では、識別情報からキーワードを検索し、さらにキーワードからアドレスを検索しているが、これは、他のサーバ１３、１５の一般的な検索機能を利用しやすいようにするためである。よって、一般的な検索に加えて識別情報から直接アドレスを検索する検索部をも有する他のサーバが一般的になれば、
キーワードを検索せずに直接アドレスを検索することも可能である
【００５１】かかる機能は、主として制御部２の関連情報の自動呼び出しプログラムで実施される。なお、かかるプログラムも図２で示すＣＤの自動起動プログラムと並列的に起動することが可能である。
【００５２】まず、ステップ９１にてディスクのセットがなされたか否かが検知される。この点はステップ５１と同様である。
【００５３】ディスクのセットがなされていない場合は今回の処理を終了する。他方ディスクのセットが検出された場合はステップ９２にて
セットされたディスクの識別情報を取得する
【００５４】次に、ステップ９３で
識別情報に対応するアドレスの検索が行われる
アドレス（例えば音楽ＣＤの識別情報であればその歌手のホームページのアドレス）の検索がなされる
【００５５】かかるデータベースは使用者の入力により作成することができるし、他の再生媒体（例えばデータベースを記憶したディスク）から得ることもできる。また、セットされた再生媒体自体がアドレス情報をさらに記憶することも可能である。この場合はステップ９３のアドレスの検索は不要となる。さらに、識別情報からアドレスを検索する検索部１９を有する他のサーバ１８にアクセスし、得られたアドレスを順次保持していくことで図１０のようなデータベースを構築してもよい。
【００５６】
検索にてアドレスが得られた場合（ステップ９４：ＹＥＳ）は、該当するアドレスの関連情報を取得しこれを表示する（ステップ９９）。ホームページのような関連情報は、表示プログラムの一部であるブラウザープログラムを起動させ、通信路１２を介して、検索されたアドレスのサーバ１４にアクセスし、得られた情報を表示部１０で表示可能なように再構成することで表示部１０での表示を可能とする。
【００５７】また、対応するアドレスが取得できない場合は（ステップ９４：ＮＯ）、このままでは関連情報が表示できないのでコンピュータ１のデータベースより更に大きな
データベースを有し、且つ、識別情報からアドレスを検索する検索部１９を有する外部サーバ１８に識別情報を伝送する（ステップ９５）。外部サーバ１８は検索を行い対応するアドレスをコンピュータ１に伝送する
【００５８】
対応するアドレスが取得された場合（ステップ９６：ＹＥＳ）はステップ９９にて該当する関連情報を表示する。
【００５９】入力部９を介してキーワードが入力された場合はステップ９３に戻りアドレスの検索を行う。また、入力部９を介してアドレスが入力された場合はステップ９９にて関連情報の表示を行う。
【００６０】以上が関連情報の自動呼び出し処理であり、かかる機能を追加することで自動的に関連情報の表示を行うことが可能となる。なお、本実施例では、
アドレスの検索を
検索機能を有する外部サーバ１８のみを使用するように構成することも可能である
　
　上記摘示事項及び図面を総合勘案すると、先願明細書等には、次の発明（以下、「先願発明」という。）が記載されているものと認める。
「曲が再生されるＣＤの自動起動プログラムと並列的に起動され、ＣＤに関する関連情報をＣＤの再生にあわせて表示などで告知する機能を有するコンピュータであって、
セットされたディスクのＴＯＣ部の情報等の識別情報を取得し、
データベースを有し、且つ、識別情報からアドレスを検索する検索部を有する外部サーバに識別情報を伝送し、
外部サーバにおいて、識別情報に対応するアドレス（例えば音楽ＣＤの識別情報であればその歌手のホームページのアドレス）の検索が行われ、対応するアドレスがコンピュータに伝送され、
検索されたアドレスのサーバにアクセスし、得られた情報を表示部で表示可能なように再構成することで、ホームページのような関連情報（例えば音楽ＣＤの場合は、そのＣＤのタイトル、曲名の一覧、ジャケットに使用されている画像、歌詞、歌手のホームページ、といった情報や、歌手名、作詞家名、作曲家名、演奏者名、といったそのＣＤの作成に関係した人の情報など）の表示部での表示を可能とする
コンピュータ。」
　
３．対比
　本願発明を、先願発明と比較する。
　先願発明における、ＣＤに収録された曲の再生と並列してＣＤに関する関連情報を表示する「コンピュータ」は、本願発明における「記録媒体又は格納手段に収録された主データと、主データに関連づけられた関連情報を再生するための再生端末装置」に相当する。
　先願発明における「セットされたディスクのＴＯＣ部の情報等の識別情報」、「外部サーバ」は、本願発明の「主データに対応する識別情報」、「第１の情報サーバとしてのデータベースサーバ」にそれぞれ相当し、先願発明の「コンピュータ」は、「セットされたディスクのＴＯＣ部の情報等の識別情報を取得し、」「データベースを有し、且つ、識別情報からアドレスを検索する検索部を有する外部サーバに識別情報を伝送」するものであるから、本願発明の「主データに対応する識別情報を、第１の情報サーバとしてのデータベースサーバに送信する送信手段」に相当する構成を備えていることは明らかである。
　先願発明における「検索されたアドレスのサーバ」、「検索されたアドレスのサーバにアクセスし、得られた情報」は、本願発明における「第２の情報サーバ」、「第２の関連情報」にそれぞれ相当し、先願発明の「コンピュータ」は、「外部サーバにおいて、識別情報に対応するアドレス（例えば音楽ＣＤの識別情報であればその歌手のホームページのアドレス）の検索が行われ、対応するアドレスがコンピュータに伝送され、」「検索されたアドレスのサーバにアクセスし、」「情報」を「得」るものであるから、本願発明における「上記識別情報に基づく上記データベースサーバでの検索結果に含まれる」「ＵＲＬアドレスを受信すると共に、当該ＵＲＬアドレスによって指定された第２の情報サーバから第２の関連情報を受信する受信手段」を備えていることは明らかである。
　先願発明は、「検索されたアドレスのサーバにアクセスし、得られた情報を表示部で表示可能なように再構成することで、ホームページのような関連情報（例えば音楽ＣＤの場合は、そのＣＤのタイトル、曲名の一覧、ジャケットに使用されている画像、歌詞、歌手のホームページ、といった情報や、歌手名、作詞家名、作曲家名、演奏者名、といったそのＣＤの作成に関係した人の情報など）の表示部での表示を可能とする」ものであるから、本願発明における「上記第２の関連情報を表示部に表示させる表示処理手段」を備えていることは明らかである。また、先願発明の「コンピュータ」は、「曲が再生されるＣＤの自動起動プログラムと並列的に起動され、ＣＤに関する関連情報をＣＤの再生にあわせて表示などで告知する機能を有する」ものであるから、本願発明における「上記記録媒体または格納手段に収録された主データを再生する際に、上記表示処理手段は、上記ＵＲＬアドレスによって示される第２の情報サーバから、受信手段によって受信された上記オーディオデータに関連する第２の関連情報を」「表示部に表示させる表示処理をし」に相当する構成を備えていることは明らかである。
　
　すると、両者の一致点及び一応の相違点は次のとおりである。
（一致点）
「記録媒体又は格納手段に収録された主データと、主データに関連づけられた関連情報を再生するための再生端末装置であって、
　主データに対応する識別情報を、第１の情報サーバとしてのデータベースサーバに送信する送信手段と、
　上記識別情報に基づく上記データベースサーバでの検索結果に含まれるＵＲＬアドレスを受信すると共に、当該ＵＲＬアドレスによって指定された第２の情報サーバから第２の関連情報を受信する受信手段と、
　上記第２の関連情報を表示部に表示させる表示処理手段と
　を備え、
　上記記録媒体または格納手段に収録された主データを再生する際に、上記表示処理手段は、上記ＵＲＬアドレスによって示される第２の情報サーバから、受信手段によって受信された上記オーディオデータに関連する第２の関連情報を表示部に表示させる表示処理をする
　再生端末装置。」
　
（一応の相違点）
　（１）本願発明は「受信手段」が「上記識別情報に基づく上記データベースサーバでの検索結果に含まれる第１の関連情報」も受信するものであり、「表示処理手段」が「上記第１の関連情報」も表示部に表示させるものであるのに対し、先願発明の「受信手段」及び「表示処理手段」には前記各構成が特定されていない点。
　（２）本願発明は、「受信手段で受信したＵＲＬアドレスを記憶する記憶手段」を備え、「表示処理手段」が「第２の関連情報を格納し、」「上記受信手段により受信されたＵＲＬアドレスが、既にアクセスされており対応する上記第２の関連情報が格納されているとき、当該受信されたＵＲＬアドレスへのアクセスは不要と判断し、当該格納されている第２の関連情報を表示部に表示させる表示処理をする」ものであるのに対し、先願発明には前記構成が特定されていない点。
　
４．判断
　上記一応相違するとした点について検討する。
　（１）音楽ＣＤの識別情報から曲名やアーティスト名等の情報をデータベースから直接検索して表示させる技術は、周知であるから（例えば、国際公開第９７／５６１６号（請求項１、第２頁第２７行乃至３４行、第１０頁表２等）、特開平８−１４７９４８号公報（段落【００１３】乃至【００１９】、図１等）、及び特開平８−３０６１６７号公報（段落【００６３】、【００７７】、【００８０】、【００８４】、【０１０５】、図１５、１９等）等参照。）、先願発明において、外部サーバ（第１の情報サーバとしてのデータベースサーバ）で検索を行う際の検索対象として、上記曲名及びアーティスト名等の情報（第１の関連情報）を含めること、すなわち本願発明における「上記識別情報に基づく上記データベースサーバでの検索結果に含まれる第１の関連情報、及びＵＲＬアドレスを受信する」「受信手段」及び「上記第１の関連情報、及び上記第２の関連情報を表示部に表示させる表示処理手段」に実質的に相当する構成を備えることは、設計上の微差にすぎない。
　（２）取得した外部情報を格納しておき、再度同じ外部情報にアクセスする場合に、当該格納された外部情報を再利用することは、周知技術であるから（例えば、電子技術総合研究所彙報、第５９巻、第６号、平成７年６月２０日、第１乃至１７頁（特に第６頁左欄第８乃至１２頁等）、コンピュータソフトウェア、Ｖｏｌ．１４、Ｎｏ．１、平成９年１月１６日、第５５〜６３頁（特に右欄下４乃至１行等）、情報処理学会研究報告、Ｖｏｌ．９６−ＤＰＳ−７４−３４、９６−ＧＷ−１５−３４、Ｎｏ．１２、平成８年１月２６日、第１９７乃至２０２頁（特に１９８頁右欄第２２乃至２７行等）等参照。）、先願発明において、検索されたアドレス（ＵＲＬアドレス）及び当該アドレスのサーバにアクセスして得られた情報（第２の関連情報）を格納して再利用すること、すなわち本願発明における「上記受信手段で受信したＵＲＬアドレスを記憶する記憶手段」及び「表示処理手段は、」「第２の関連情報を格納し、」「上記受信手段により受信されたＵＲＬアドレスが、既にアクセスされており対応する上記第２の関連情報が格納されているとき、当該受信されたＵＲＬアドレスへのアクセスは不要と判断し、当該格納されている第２の関連情報を表示部に表示させる表示処理をする」に実質的に相当する構成を備えることは、設計上の微差にすぎない。
　
　よって、本願発明は、先願発明と実質的に同一である。しかも、本願発明の発明者が先願発明の発明者と同一であるとも、また、本願出願の時に、その出願人が上記先願の出願人と同一であるとも認められないので、本願発明は、特許法第２９条の２の規定により特許を受けることができないものである。
　
５．むすび
　以上のとおり、本願の請求項６に係る発明は、特許法第２９条の２の規定により特許を受けることができない。
　したがって、本願は、その余の請求項について論及するまでもなく、拒絶すべきものである。
　
　よって、結論のとおり審決する。